(57)【要約】      （修正有）【課題】飼育動物の糞尿掃除に時間を要することなく容易に行える動物飼育用ケージを提供する。【解決手段】所定深さを有する有底箱状のトレー体２と、このトレー体２の上部に配置される所定の開口を有する簀子３と、この簀子３の上部に配置されて簀子３上部に所定の飼育空間４を形成するパネル体５とを備え、前記トレー体２は、このトレー体２内の水平方向一方から他方に向けて所定の傾斜角度で配設した受板６と、この受板６の傾斜上側に位置するトレー体２の側部からこの受板６の上面に洗浄水を供給する洗浄水供給部と、前記受板６の傾斜下側に位置するトレー体２の内部で前記受板６上面に供給した前記洗浄水を受板６下端に具備させた排水開口から受ける洗浄水受部１０と、前記受板６の傾斜に沿って設けた移動開口２０に沿って移動して前記受板６の上面を掃除する掃除具２１とを有している。【選択図】図１
0003142669.tif 000002
【実用新案登録請求の範囲】
【請求項１】
所定深さを有する有底箱状のトレー体と、
該トレー体の上部に配置される所定の開口を有する簀子と、
該簀子の上部に配置されて簀子上部に所定の飼育空間を形成するパネル体とを備え、
前記トレー体は、
該トレー体内の水平方向一方から他方に向けて所定の傾斜角度で配設した受板と、
該受板の傾斜上側に位置するトレー体の側部から該受板の上面に洗浄水を供給する洗浄水供給部と、
前記受板の傾斜下側に位置するトレー体の内部で前記受板上面に供給した前記洗浄水を該受板下端に具備させた排水開口から受ける洗浄水受部と、
前記受板の傾斜に沿って設けた移動開口に沿って移動して前記受板の上面を掃除する掃除具と、を有していることを特徴とする動物飼育用ケージ。
【請求項２】
前記トレー体は平面視で矩形状に形成され、前記受板が、該矩形状に形成されたトレー体の一辺から対向する他辺に向けて傾斜して配設されている請求項１に記載の動物飼育用ケージ。
【請求項３】
前記受板の傾斜下側位置に、前記受板下端の排水開口の面積を制限する可撓性カバーを具備している請求項１又は請求項２に記載の動物飼育用ケージ。
【請求項４】
前記洗浄水受部は、トレー体の前後方向又は側方に向けて引き出し可能に構成されている請求項１〜３のいずれか１項に記載の動物飼育用ケージ。
【請求項５】
前記掃除具を受板の傾斜に沿って移動させる移動開口を有し、
該移動開口に、前記掃除具の不動時には該移動開口を塞ぎ、掃除具の移動時には該掃除具の移動部分が撓んで掃除具の移動を妨げない可撓性閉鎖部材を具備させた請求項１〜４のいずれか１項に記載の動物飼育用ケージ。
【請求項６】
前記洗浄水受部に隣接して、該洗浄水受部の容量を超えた洗浄水を受けるオーバーフロー受部を具備させた請求項１〜５のいずれか１項に記載の動物飼育用ケージ。
【請求項７】
前記パネル体の前部に出入口を有し、
該出入口の下方に位置する前記トレー体内の前記受板下部に、該トレー体の前方に向けて出入可能な階段を具備し、該階段の内部は小物入れに構成されている請求項１〜６のいずれか１項に記載の動物飼育用ケージ。
【考案の詳細な説明】
【技術分野】
【０００１】
本考案は、犬や猫、ウサギ、もしくは小鳥やニワトリ、フクロウ等の動物を飼うための動物飼育用ケージに関するものである。
【背景技術】
【０００２】
近年、小型犬の人気等が高まり、犬や猫、ウサギ、あるいは小鳥やニワトリ、フクロウ等の動物（この明細書及び実用新案登録請求の範囲の書類中では、これらを総称して「飼育動物」という）を飼う家庭が増加している。そして、特に、室内でこのような動物を飼育する場合には、通常、ケージに入れて飼われている。
【０００３】
一般的なケージとして、プラスチック等で形成された所定の大きさのトレー体と、このトレー体の上部に設けた開口を有する簀子と、この簀子の上部に設けて所定の飼育空間を形成する金網パネルとを備えたものがある。このようなケージ内で飼育される動物は、通常、ケージ内に設けられたエサ容器によってエサが与えられ、給水器によって水が与えられる。そして、ケージ内で排泄された糞尿は、簀子の開口からトレー体に落ちるようになっている。
【０００４】
しかし、このような構成では、簀子の開口からトレー体内に落ちた糞尿は臭気を出すので頻繁に掃除をする必要があるが、その場合にはケージ内から動物を出してパネルと簀子を外した状態でトレー体内を掃除しなければならず、非常に手間と時間を要すると共に、長時間臭気に晒されるので、糞尿の掃除に嫌気をさしてしまう。
【０００５】
そこで、この種のケージで掃除しやすいようにしたものとして、例えば、簀子と、その簀子の下部に設けて汚れ受けとなる引き出しを取り出しやすいようにした鳥かごがある（例えば、特許文献１参照）。
【０００６】
また、他の従来技術として、金属の平板を折り曲げて形成した床部を傾斜させて配置し、その床部の傾斜を伝わって落ちるゴミを受ける位置にゴミ受け部を配置した鳥かごもある（例えば、特許文献２参照）。
【特許文献１】特開２００７−１３３号公報
【特許文献２】特許第３９９９２５７号公報
【考案の開示】
【考案が解決しようとする課題】
【０００７】
しかしながら、上記特許文献１の構成では、引き出しに付着した糞が乾燥して固まってしまうと、その掃除に労力と時間を要すると共に長時間臭気に晒されるので、やはり上記したように糞尿の掃除に嫌気をさしてしまう。
【０００８】
さらに、上記特許文献２の構成では、床部の傾斜のみでゴミ受け部へ糞尿を排出させようとしているが、糞を排出するためには床部を大きな傾斜角度とする必要があり、結果としてケージの高さが非常に高くなったり動物の飼育空間を狭くしてしまう。しかも、この構成の場合、床部に付着して固まった糞を掃除する場合には動物を出して内部を開放して行わなければならず、非常に多くの時間と労力を要する。
【０００９】
そこで、本考案は、飼育動物の糞尿掃除に時間を要することなく容易に行える動物飼育用ケージを提供することを目的とする。
【課題を解決するための手段】
【００１０】
上記目的を達成するために、本考案は、所定深さを有する有底箱状のトレー体と、該トレー体の上部に配置される所定の開口を有する簀子と、該簀子の上部に配置されて簀子上部に所定の飼育空間を形成するパネル体とを備え、前記トレー体は、該トレー体内の水平方向一方から他方に向けて所定の傾斜角度で配設した受板と、該受板の傾斜上側に位置するトレー体の側部から該受板の上面に洗浄水を供給する洗浄水供給部と、前記受板の傾斜下側に位置するトレー体の内部で前記受板上面に供給した前記洗浄水を該受板下端に具備させた排水開口から受ける洗浄水受部と、前記受板の傾斜に沿って設けた移動開口に沿って移動して前記受板の上面を掃除する掃除具とを有している。これにより、ケージ内で飼育する動物の糞尿は簀子の開口から落下させて受板で受けることができ、この受板上に落ちた糞尿は洗浄水供給部から洗浄水を供給すると共に、掃除具によって受板の上面を掃除することにより、所定の傾斜角度で傾斜させた受板の傾斜に沿って洗浄水受部に向けて糞尿を斜め下に洗い落とすように掃除することができ、糞尿の掃除を容易に行える。
【００１１】
また、前記トレー体は平面視で矩形状に形成され、前記受板が、該矩形状に形成されたトレー体の一辺から対向する他辺に向けて傾斜して配設されていてもよい。このようにすれば、矩形状のトレー体の一辺から他辺に向けて糞尿を排出するので、効率的な糞尿の掃除を簡単な構造で行うことができる。
【００１２】
さらに、前記受板の傾斜下側位置に、前記受板下端の排水開口の面積を制限する可撓性カバーを具備していてもよい。このようにすれば、前記洗浄水受部に排出された糞尿からの臭気が漏れるのをカバーで抑止することができる。
【００１３】
また、前記洗浄水受部は、トレー体の前後方向又は側方に向けて引き出し可能に構成されていてもよい。このようにすれば、洗浄水受部をトレー体から分離して洗浄水受部に排出された糞尿を容易に捨てることができ、糞尿の掃除をより簡便に行うことができる。
【００１４】
さらに、前記掃除具を受板の傾斜に沿って移動させる移動開口を有し、該移動開口に、前記掃除具の不動時には該移動開口を塞ぎ、掃除具の移動時には該掃除具の移動部分が撓んで掃除具の移動を妨げない可撓性閉鎖部材を具備させてもよい。このようにすれば、掃除する掃除具が移動する部分のみの可撓性閉鎖部材が開き、移動開口から糞尿の臭気や洗浄水が漏れるのを抑止することができる。
【００１５】
その上、前記洗浄水受部に隣接して、該洗浄水受部の容量を超えた洗浄水を受けるオーバーフロー受部を具備させてもよい。このようにすれば、洗浄水受部の容量を超える洗浄水を流したとしても、オーバーフロー受部に流れてトレー体から流出するのを防止することができる。
【００１６】
さらに、前記パネル体の前部に出入口を有し、該出入口の下方に位置する前記トレー体内の前記受板下部に、該トレー体の前方に向けて出入可能な階段を具備し、該階段の内部は小物入れに構成されていてもよい。このようにすれば、動物がケージ内へ出入りしやすい階段を具備させることができると共に、その階段の内部を小物入れとして有効に利用することができる。
【考案の効果】
【００１７】
本考案は、以上説明したような手段により、ケージ内で飼育する動物の糞尿を洗浄水と共に斜め下方へ容易に洗い流すことができ、糞尿の掃除が容易な動物飼育用ケージを提供することが可能となる。
【考案を実施するための最良の形態】
【００１８】
以下、本考案の一実施の形態を図面に基づいて説明する。図１は、本考案の一実施の形態を示す動物飼育用ケージの斜視図であり、図２は、図１に示す動物飼育用ケージの正面図、図３は、図２に示すIII−III断面図、図４は、図２に示すIV−IV断面図、図５は、図２に示すＶ−Ｖ断面図、図６は、図２に示すVI−VI断面図である。この明細書及び実用新案登録請求の範囲の書類中では、動物飼育用ケージの正面に向った状態で、右部、左部、入口側を前部、奥側を後部という。
【００１９】
図１に示すように、この実施の形態の動物飼育用ケージ１は、所定深さを有する有底箱状のトレー体２と、このトレー体２の上部に載置される簀子３と、この簀子３の上部に配置されて、簀子３の上部に所定の飼育空間４を形成するパネル体５とを備えている。
【００２０】
図２にも示すように、上記トレー体２の内部には、図の右側に位置する一辺から図の左側に位置する他辺に向けて、深さ方向に所定の傾斜角度で受板６が配設されている。この受板６は、傾斜下側である図の左部の受板下端に排水開口７を具備している。この排水開口７は、トレー体２の前部から後部まで連なる長溝状に形成されている。この排水開口７には、排出された糞尿からの臭気が漏れるのを抑止するように開口面積を制限する可撓性カバー８が設けられている。
【００２１】
また、トレー体２の受板６の傾斜上側に位置する側部には、この受板６の上面に洗浄水を供給する洗浄水供給部９が設けられている。この洗浄水供給部９は、図１に示すようにトレー体２の前部から後部までの全幅方向に設けられ、この洗浄水供給部９の溝状供給口１４から受板６の全幅に洗浄水を供給できるようになっている。
【００２２】
一方、上記トレー体２の内部の左側には、上記受板６の上面に供給して受板６下端から流れ落ちる洗浄水を上記排水開口７から受ける洗浄水受部１０が設けられている。この実施の形態の洗浄水受部１０は、取っ手１１を持ってトレー体２の前部から出し入れできるようになっている。
【００２３】
そして、上記トレー体２の前面には、上記受板６の傾斜に沿うように受板６から上方に所定距離離れて移動開口２０が設けられ、この移動開口２０に沿って移動して受板６の上部を掃除する掃除具２１が備えられている。
【００２４】
図３に示すように、この掃除具２１は、トレー体２の前部に設けられた上記移動開口２０から、トレー体２の後部に設けられた案内溝２２まで連なる軸２３と、この軸２３の下部に設けられて受板６の上面を掃除するブラシ部２４とを具備している。軸２３は、上記移動開口２０に沿うように設けられた案内部材２６と上記案内溝２２とによって受板６の上方で移動開口２０に沿って移動するようになっている。ブラシ部２４は、受板６の上面に所定長さ分が接するような長さで設けられている。このブラシ部２４としては、樹脂製の細いブラシの束や太いブラシの束、薄い板状の物等、受板６の上面を掃除できるものであればよい。また、トレー体２から前方に突出する軸２３の端部には取っ手２５が設けられている。
【００２５】
さらに、この実施の形態では、掃除具２１を移動させる移動開口２０の内側に、薄いゴム等の可撓性材料で形成され、中央部長手方向にスリット２８が設けられた可撓性閉鎖部材２７が設けられている。この可撓性閉鎖部材２７は、移動開口２０を塞ぐように取付けられており、掃除具２１の不動時には、上記軸２３以外の移動開口２０のを塞ぎ、掃除具２１の移動時には、移動する軸２３の部分のスリット２８が撓んで掃除具２１による受板６の掃除を可能としている。これにより移動開口２０からの臭気が漏れるのを抑えている。このような掃除具２１によれば、移動開口２０に沿って移動させることにより、ブラシ部２４で受板６の上面を掃除することができる。
【００２６】
図２，４に示すように、上記洗浄水受部１０は、受板６から流れ落ちた洗浄水と糞尿を受けることができるが、この洗浄水受部１０の容量を超える洗浄水を誤って流してしまった場合でも、この洗浄水受部１０の容量を超えた洗浄水はトレー体２の内部に設けられたオーバーフロー受部１２で受けて外部に漏れないようにしている。このオーバーフロー受部１２は、洗浄水受部１０の側部に設けられており、洗浄水が洗浄水受部１０の容量を超える前に、この洗浄水受部１０の側面に形成されたオーバーフロー開口１３からオーバーフロー受部１２内に洗浄水が流れ落ちるようにしている。
【００２７】
図２，５に示すように、上記簀子３は、上記トレー体２に設けられた支持部材３０の上部に載置されている。この簀子３は、長手方向と直交する断面視で上面中央が突出する曲面で形成された棒状体３１を、所定の隙間を空けて並設することにより各棒状体３１の間に開口３２が形成されている。この例の棒状体３１は、トレー体２の前部と後部との間に並設されている。また、この実施の形態では、この簀子３をプラスチックで成型することにより、棒状体３１の間を所定間隔で連結して所定の開口３２を形成した一体物の簀子３としている。図５では、冬場に上記パネル体５を覆うカバー６３（二点鎖線）が設けられている。このカバー６３には空気穴６４が設けられている。
【００２８】
さらに、図６に示すように、動物が排泄をよくする簀子３の角部（後述するエサ箱５６の反対側）には、排泄した糞尿を簀子３の下方へ排出しやすい大きな角部開口３３が設けられている。このような簀子３としては、プラスチック成型品以外に木製の組立品等が用いられる。
【００２９】
図１，２に示すように、上記パネル体５は、例えば、金網や、プラスチック等で金網状に形成されたパネルが組まれたものであり、前面パネル５０と後面パネル５１（図５）、側面パネル５２及び上面パネル５３によって、上記簀子３の上部に所定の飼育空間４を形成している。図面では、各パネル５０〜５３の線材を一本線で示している。前面パネル５０には、略中央部に動物の出入口５４が設けられており、固定金具５５の係止によって閉じた状態が保たれている。この例の出入口５４は、前面パネル５０に設けられた案内レール５８に沿って左方向にスライドして開放するようになっている。この出入口５４の開閉方法は、他の型式であってもよい。また、この例では、右側の側面パネル５２の内側にエサ箱５６と給水箱５７とが取付けられている。そして、このパネル体５と上記簀子３とが、上記トレー体２の上部に配置されて固定されることによって上記したような動物飼育用ケージ１が形成されている。
【００３０】
また、図１に示すように、トレー体２の前部には、略中央部に階段用引き出し６０が設けられており、この階段用引き出し６０を引出すことにより、パネル体５に設けられた出入口５４の前部に階段が形成されるようになっている。この階段用引き出し６０は、上板６１を二点鎖線で示すように上方へ開放させることができ、内部に小物等を収納することができるようになっている。
【００３１】
さらに、この階段用引き出し６０の図示する右側には、収納用引き出し６２が設けられている。この収納用引き出し６２は、上記受板６の傾斜上側に位置するため、深さを深くした大容量のものとなっている。この収納用引き出し６２には、エサ等と収納しておくことができる。
【００３２】
以上のように構成された動物飼育用ケージ１によれば、パネル体５によって形成された飼育空間４で飼育する動物が糞尿をすると、簀子３の空間から受板６の上面に落ち、この受板６の上面に落ちた糞尿は、洗浄水供給部９から洗浄水を供給すると共に、掃除具２１によって受板６の上部の糞尿を斜め下向きに掃除することにより、洗浄水と共に糞尿を効果的に掃除して洗浄水受部１０へ排出することができ、容易に動物飼育用ケージ１内の糞尿を掃除することができる。
【００３３】
しかも、洗浄水受部１０に排出された糞尿は、洗浄水受部１０をトレー体２から外して容易に捨てることができるので、動物飼育用ケージ１で飼育する動物の糞尿処理を極めて容易に行うことができる。
【００３４】
その上、糞尿を受ける洗浄水受部１０の上部に設けられた可撓性カバー８や、掃除具２１の移動開口２０に設けた可撓性閉鎖部材２７により、糞尿の臭気が漏れるのを抑止しながら糞尿の掃除ができるので、掃除環境の改善も可能となる。
【００３５】
さらに、上記したように、トレー体２に階段となる引き出しを含めて複数の引き出し６０，６２を設けているので、それぞれの引き出し６０，６２にエサや小物類を収納して動物の飼育に要する物を動物飼育用ケージ１に集約することができ、犬や猫、ウサギ、あるいは小鳥等をを飼育する環境を大幅に改善することが可能となる。
【００３６】
なお、上記実施の形態では、平面視が矩形状のトレー体２を例に説明したが、トレー体２の平面視形状は上記実施の形態に限定されるものではない。
【００３７】
また、上述した実施の形態は一例を示しており、本考案の要旨を損なわない範囲での種々の変更は可能であり、本考案は上述した実施の形態に限定されるものではない。
【産業上の利用可能性】
【００３８】
本考案に係る動物飼育用ケージは、犬や猫、ウサギ、あるいは小鳥やニワトリ、フクロウ等の動物を飼う場合に利用できる。
【図面の簡単な説明】
【００３９】
【図１】本考案の一実施の形態を示す動物飼育用ケージの斜視図である。
【図２】図１に示す動物飼育用ケージの正面図である。
【図３】図２に示すIII−III断面図である。
【図４】図２に示すIV−IV断面図である。
【図５】図２に示すＶ−Ｖ断面図である。
【図６】図２に示すVI−VI断面図である。
【符号の説明】
【００４０】
１…動物飼育用ケージ
２…トレー体
３…簀子
４…飼育空間
５…パネル体
６…受板
７…排水開口
８…可撓性カバー
９…洗浄水供給部
１０…洗浄水受部
１２…オーバーフロー受部
１３…オーバーフロー開口
１４…溝状供給口
２０…移動開口
２１…掃除具
２２…案内溝
２３…軸
２４…ブラシ部
２７…可撓性閉鎖部材
２８…スリット
３２…開口
３３…角部開口
５０…前面パネル
５１…後面パネル
５２…側面パネル
５３…上面パネル
５４…出入口
６０…階段用引き出し
６１…上板
６２…収納用引き出し
【図１】
0003142669.tif 000003
【図２】
0003142669.tif 000004
【図３】
0003142669.tif 000005
【図４】
0003142669.tif 000006
【図５】
0003142669.tif 000007
【図６】
0003142669.tif 000008